(57)【要約】【課題】  パターヘッドの形状を容易に変更することができ、パターの機能を変更することができるゴルフパターを提供することを目的とする。【解決手段】  ゴルフパター１０は、パターヘッド１００と、パターヘッド１００の一端側部に取り付けられるシャフト２００とから構成されている。パターヘッド１００は、打撃フェース部１０１と、バック部となりパターヘッド１００の重心を調整するための重心調整部３００とから構成されている。打撃フェース部１０１は、前部の横幅方向の一端側部分トゥ部１０２、他端側部分にヒール部１０３を有しており、これらトゥ部１０２からヒール部１０３に亘って前面に打撃フェース面１０４が形成されている。【選択図】  図１
2011004849.tif 000002
【特許請求の範囲】
【請求項１】
打撃面を形成する打撃フェース部と、
前記打撃フェース部の打撃面の背面に設けられる複数の形状あるいは重心深度を有するバック部と、からなり、
前記バック部は、前記打撃フェース部に対して取り換え固定可能に構成されていることを特徴とするゴルフパターヘッド。
【請求項２】
前記バック部は、両端側部分に後方に重量部材が形成されていることを特徴とする請求項１記載のゴルフパターヘッド。
【請求項３】
前記バック部は、中央から後方へ重量部材が形成されていることを特徴とする請求項１記載のゴルフパターヘッド。
【発明の詳細な説明】
【技術分野】
【０００１】
本発明は、パターヘッドの形状が変更可能なゴルフパターヘッドに関し、特に、パターヘッドの形状に伴い、パターヘッドの機能を変更することが可能なゴルフパターヘッドに関する。
【背景技術】
【０００２】
ゴルフクラブのヘッドは、その打面でゴルフボールを打った際、ゴルフボールへより確実に力を伝達できるように設計されている。例えば、グリーン上で使用するパターでは、プレイヤーの微妙な力の加減により、ゴルフボールの転がる距離が定まり、衝突時の打面の角度によりゴルフボールの転がる方向性が定めるが、そのような力を確実に伝達できるようにするために、ヘッドの重量、重心位置、打面の剛性、硬さ等の物理的特性等が重要な要素となっている。
【０００３】
ところで、プレイヤーは、自身の体型やプレースタイルに合わせてグリップの形状やシャフトの長さを設定し、次に、種々のヘッドから最適なものを選択することで最適なゴルフクラブを作成している。また、ゴルフクラブは、流行に伴い様々な形状のものが提案されており、例えば、様々なデザインと、デザインに応じた重心位置を有するパターヘッドを備えたパターがあり、プレイヤーは好みやプレースタイルに合わせて選択することができる。
【０００４】
一方、ゴルフは心理的な影響が大きいスポーツであり、プレー当日の調子によっては同じパターで同じようなスコアを出すことは困難である。そこで、プレイヤーは通常、重心位置の異なる複数のゴルフクラブを所持することで、プレー当日の調子やグリーン状況に合わせて最適なパターを選択してプレーに望んでいる。
【０００５】
しかし、パター自体が非常に高価なものであることから複数本所持することは経済的に困難であったり、保管スペースも必要であったりといった問題がある。また、ゴルフクラブを販売する店舗においては、様々なプレイヤーの要望に応えるために、数多くの種類のゴルフクラブを店頭に在庫として置いておかなければならない。そのため、在庫の管理に莫大な費用がかかるといった問題がある。
【０００６】
このような問題から、１本のゴルフパターでプレイヤーが最適な重心位置を容易に選択することができるパターがある（特許文献１）。
特許文献１に記載のゴルフパターは、クラブフェース部とクラブフェース部の後面中央から後方に延びるヘッド本体を備えたクラブヘッドを備えている。そして、ヘッド本体の上面に前後方向に延びる摺動溝を形成するともに、摺動溝にネック体を有する摺動体を摺動可能に支持し、かつ、ヘッド本体と摺動体とに摺動体をヘッド本体の任意の摺動位置で固定してクラブヘッドの重心位置を前後に変更する固定手段を設けている。
このような構成から、ゴルフ場のグリーンの芝の状況に合わせてプレイヤー自身がクラブヘッドの重心位置を選択的に前後移動することができる。
【先行技術文献】
【特許文献】
【０００７】
【特許文献１】特開２００６−１９８３８５号公報
【発明の概要】
【発明が解決しようとする課題】
【０００８】
ところが、上記したパターは、１本のパターでクラブヘッドの重心位置を選択的に前後移動することができる利点があるものの、パターヘッドの形状そのものを変更することはできない。プレイヤーは、パターの選択時にパターヘッドの重心位置以外にパターヘッドの形状についても重視することから、複数本のパターを所持する又は頻繁にいろいろな形状のパターに買い換える傾向がある。こういったことから、重心位置を選択的に前後移動することができるパターであっても、形状を変更することができないことから、結局は買い換える対象となってしまう。
【０００９】
しかしながら、上記したように、ゴルフクラブは高価なものであって、簡単に複数本のゴルフクラブを所持することは困難である。また、ゴルフクラブの買い替えが可能だとしても、買い替え毎にグリップの形状やシャフトの長さを設定する必要があるため、手間がかかるといった問題がある。
【００１０】
本発明は係る問題に鑑みてなされたものであり、パターヘッドの形状を容易に変更することができ、パターの機能を変更することができるゴルフパターを提供することを目的とする。
【課題を解決するための手段】
【００１１】
上記目的を達成するために、本発明のゴルフパターヘッドは、打撃面を形成する打撃フェース部と、前記打撃フェース部の打撃面の背面に設けられる複数の形状あるいは重心深度を有するバック部と、からなり、前記バック部は、前記打撃フェース部に対して取り換え固定可能に構成されていることを特徴とする。
【００１２】
また、本発明のゴルフパターヘッドは、前記バック部が、両端側部分に後方に重量部材が形成されていることを特徴とする。
【００１３】
さらに、本発明のゴルフパターヘッドは、前記バック部は、中央から後方へ重量部材が形成されていることを特徴とする。
【発明の効果】
【００１４】
本発明によれば、様々な重心位置を有する錘部材をプレイヤーが容易に装着することができるため、プレイヤーの好みやプレー当日の調子に合わせた重心位置を有する錘部材に変更することができる。
【図面の簡単な説明】
【００１５】
【図１】本実施形態に係るゴルフパターの構成を示した斜視図である。
【図２】本実施形態に係るパターヘッドの背面を示した図である。
【図３】本実施形態に係るパターヘッドの底面を示した図である。
【図４】打撃フェース部の構成を示す斜視図である。
【図５】打撃フェース部の底面を示した図である。
【図６】図６（ａ）は、重心調整部の正面側の斜視図であり、図６（ｂ）は、重心調整部の背面側の斜視図である。
【図７】図７（ａ）は、重心調整部の正面を示した図であり、図７（ｂ）は、重心調整部の底面を示した図である。
【図８】打撃フェース部への重心調整部の装着方法を示した図である。
【図９】重心調整部を打撃フェース部に装着した状態を示した図である。
【図１０】図１０（ａ）は、他の重心調整部の正面側の斜視図であり、図１０（ｂ）は、重心調整部の背面側の斜視図である。
【図１１】図１１（ａ）は、他の重心調整部の正面を示した図であり、図１１（ｂ）は、他の重心調整部の底面を示した図である。
【図１２】他の重心調整部を打撃フェース部に装着した状態を示した図である。
【図１３】図１３（ａ）は、他の重心調整部の正面側の斜視図であり、図１３（ｂ）は、他の重心調整部の背面側の斜視図である。
【図１４】図１４（ａ）は、他の重心調整部の正面を示した図であり、図１４（ｂ）は、他の重心調整部の底面を示した図である。
【図１５】他の重心調整部を打撃フェース部に装着した状態を示した図である。
【発明を実施するための最良の形態】
【００１６】
次に、図面を参照して、本発明の実施形態について説明する。
図１〜図３は、パターの構成を示した図であり、図１は、パターの構成を示した斜視図であり、図２は、パターヘッドの背面を示した図であり、図３は、パターヘッドの底面を示した図である。
【００１７】
まず、図１に示すようにゴルフパター１０は、パターヘッド１００と、パターヘッド１００の一端側部に取り付けられるシャフト２００と、シャフト２００の上端部に取り付けられるグリップ（図示せず）から構成されている。そして、パターヘッド１００は、打撃フェース部１０１と、バック部となりパターヘッド１００の重心を調整するための重心調整部３００とから構成されている。打撃フェース部１０１は、前部の横幅方向の一端側部分トゥ部１０２、他端側部分（シャフト２００が取り付けられている側）にヒール部１０３を有しており、これらトゥ部１０２からヒール部１０３に亘って前面に打撃フェース面１０４が形成されている。
なお、本実施形態において、トゥ部１０２からヒール部１０３にかけての方向を幅方向とし、打撃フェース面１０４の背面方向を長さ方向とする。
【００１８】
一方、図２に示すように、打撃フェース部１０１の後部には、取り外し可能な重心調整部３００が取り付けられている。この重心調整部３００は、様々な重心バランスを有するものがあり、プレイヤーが、自分の好みやプレー当日の調子に合わせて最適な重心バランスを有する重心調整部３００に変更することができる。そして、これら打撃フェース部１０１と、重心調整部３００とは、図３に示すように、パターヘッド１００の底面においてネジ２０の締結によって固定されている。
【００１９】
次に、図４及び図５を参照して、打撃フェース部１０１の構成について説明する。図４は、打撃フェース部１０１の構成を示す斜視図であり、図５は、打撃フェース部１０１の底面を示した図である。
図４は、重心調整部３００が取り外された打撃フェース部１０１の背面を示している。打撃フェース部１０１の両端近傍には、打撃フェース面１０４の後方に突出した凸部１０５がそれぞれ設けられている。この凸部１０５は、前述した重心調整部３００の一部に嵌合するものであり、さらに、図５に示すように、凸部１０５の底面の略中央には、ネジ２０を挿入するための段付き孔１０６が形成されている。
【００２０】
次に、図６〜図１７を参照して、重心調整部の構成について説明する。
まず、図６〜図９を参照して重心調整部３００について説明する。
図６（ａ）は、重心調整部３００の正面側の斜視図であり、図６（ｂ）は、背面側の斜視図であり、図７（ａ）は、重心調整部３００の正面を示した図であり、図７（ｂ）は、重心調整部３００の底面を示した図である。図８は、撃フェース部１０１への重心調整部３００の装着方法を示した図であり、図９は、重心調整部３００を打撃フェース部１０１に装着した状態を示した図である。
【００２１】
図６（ａ）及び図６（ｂ）に示すように、重心調整部３００は、後方に向かって高さが低くなるような傾斜面を有する形状の錘部３０１，３０２が両端に配置され、この錘部３０１，３０２の間には、平坦状であって両端の錘部３０１，３０２と連接した平坦部３０４が形成されている。また、重心調整部３００の正面には、打撃フェース部１０１の背面と密接するように平面状の正面部３０３が形成されている。
【００２２】
そして、図７（ａ）に示すように、正面部３０３から底面に亘って凹部３０５，３０６が形成されている。この凹部３０５，３０６に打撃フェース部１０１の背面に設けられている凸部１０５が嵌合する。この凹部３０５，３０６には、図７（ｂ）に示すように、ネジ穴３０７が設けられており、打撃フェース部１０１の凸部１０５に形成された段付き孔１０６を介して挿入されるネジ２０と螺合する。これにより、打撃フェース部１０１と重心調整部３００とが締結固定される。
【００２３】
次に、図８を参照して、打撃フェース部１０１への重心調整部３００の装着方法について説明する。
図示するように、打撃フェース部１０１に対して上方から凸部１０５に重心調整部３００の凹部３０５，３０６がそれぞれ嵌合するように嵌め込む。そして、ネジ２０を段付き孔１０６に挿入して、凹部３０５，３０６に設けられているネジ穴３０７に螺合させる。ネジ２０は、例えばトルクレンチを使用することで均等な締結を行うことができる。
なお、重心調整部４００、５００についても同様の装着方法で、打撃フェース部１０１に装着することができる。
【００２４】
図９は、重心調整部３００を打撃フェース部１０１に装着した状態を示した図である。
このように重心調整部３００を打撃フェース部１０１の背面に装着することで、重心調整部３００が有する特有の重心バランスを得ることができる。
重心調整部３００は、前述したとおり、後方に延出した錘部３０１，３０２を両端に有していることから、パターヘッド１００の幅方向のバランスが安定する。そのため、バックスイングからフォロースルーまでのパターヘッドの操作を安定させることができ、所望の軌跡でスイングすることができる。
【００２５】
図１０〜図１２は、他の重心バランスを有する重心調整部の構成を示す図である。
図１０（ａ）は、重心調整部４００の正面側の斜視図であり、図１０（ｂ）は、重心調整部４００の背面側の斜視図であり、図１１（ａ）は、重心調整部４００の正面を示した図であり、図１１（ｂ）は、重心調整部４００の底面を示した図であり、図１２は、重心調整部４００を打撃フェース部１０１に装着した状態を示した図である。
【００２６】
図１０（ａ）及び図１０（ｂ）に示すように、重心調整部４００は、高さ方向に肉厚になった形状の錘部４０１，４０２が両端に配置され、この錘部４０１，４０２の間には、平坦状であって両端の錘部４０１，４０２と連接した平坦部４０４が形成されている。また、重心調整部４００の正面には、打撃フェース部１０１の背面と密接するように平面状の正面部４０３が形成されている。
このような構成から重心調整部４００は、前述した重心調整部３００と同様に、幅方向にバランスが安定した形状となっている。一方、錘部４０１，４０２が長さ方向において重心調整部３００に比べると短い形状となっている。そのため、重心位置がより正面部４０３に近い位置となっている。
【００２７】
そして、図１１（ａ）に示すように、正面部４０３から底面に亘って凹部４０５，４０６が形成されている。この凹部４０５，４０６に打撃フェース部１０１の背面に設けられている凸部１０５が嵌合する。この凹部４０５，４０６には、図１１（ｂ）に示すように、ネジ穴４０７が設けられており、打撃フェース部１０１の凸部１０５に形成された段付き孔１０６を介して挿入されるネジ２０と螺合する。これにより、打撃フェース部１０１と重心調整部４００とが締結固定される。
【００２８】
図１２は、重心調整部４００を打撃フェース部１０１に装着した状態を示した図である。
このように重心調整部４００を打撃フェース部１０１の背面に装着することで、重心調整部４００が有する特有の重心バランスを得ることができる。
重心調整部４００は、前述したとおり、錘部４０１，４０２を両端に有していることから、パターヘッド１００の幅方向のバランスを安定させるとともに、重心位置がより打撃フェース部１０１に近いため、スイングの慣性力を利用してスイングすることができる。
【００２９】
図１３〜図１５は、更に他の重心バランスを有する重心調整部の構成を示す図である。
図１３（ａ）は、重心調整部５００の正面側の斜視図であり、図１３（ｂ）は、重心調整部５００の背面側の斜視図であり、図１４（ａ）は、重心調整部５００の正面図であり、図１４（ｂ）は、重心調整部５００の底面図であり、図１５は、重心調整部５００を打撃フェース部１０１に装着した状態を示すである。
【００３０】
図１３（ａ）及び図１３（ｂ）に示すように、重心調整部５００は、後方に向かって一体的に延びる錘部５０１を有し、この錘部５０１の幅方向に延出する腕部５０２，５０３を有し、全体として平面視Ｔ字状を呈している。また、錘部５０１は、図１５に示すように正面から見ると開口部５０４を有し、中空構造となっている。そして、開口部５０４及び腕部５０３，５０３によって、打撃フェース部１０１の背面と密接するように平面状の正面部５０５が形成されている。
【００３１】
そして、図１４（ａ）に示すように、腕部５０２，５０３のそれぞれの正面部５０５から底面に亘って凹部５０６，５０７が形成されている。この凹部５０６，５０７に打撃フェース部１０１の背面に設けられている凸部１０５が嵌合する。この凹部５０６，５０７には、図１４（ｂ）に示すように、ネジ穴５０８が設けられており、打撃フェース部１０１の凸部１０５に形成された段付き孔１０６を介して挿入されるネジ２０と螺合する。これにより、打撃フェース部１０１と重心調整部５００とが締結固定される。
【００３２】
図１５は、重心調整部５００を打撃フェース部１０１に装着した状態を示すである。
このように、重心調整部５００を打撃フェース部１０１の背面に装着することで、重心調整部５００が有する特有の重心バランスを得ることができる。
重心調整部５００は、前述した重心調整部３００，４００に対して重心が後方に位置している。そのため、パターヘッド１００の重量を重めに感じることができ、パターヘッド１００の重量を利用してスイングすることができ、プレイヤーは高度なゴルフパターの操作を必要としない。
【００３３】
上記したそれぞれの重心調整部３００，４００，５００は、重心位置が異なるものの、それぞれ重量は同じである。そのため、打撃フェース部１０１に装着してもパターヘッド１００の総重量は変わらない。従って、プレイヤーは、重心調整部を変更しても同じ重量の感覚でスイングすることができる。
【００３４】
以上の説明から、本実施形態に係るゴルフパターは、様々な重心位置を有する重心調整部を容易に取り付け、取り外しができるため、プレイヤーは状況に応じて適正な重心位置を有する重心調整部を選択し、打撃フェース部に取り付けることができる。
また、プレイヤーは、重心位置だけでなく好みの重心調整部の形状を選択することができるため、各プレーに合わせて好みの形状でプレーすることができる。
さらに、重心調整部は、ゴルフパター本体よりも安価であることから、複数個所有するにもプレイヤーの負担が小さくなるため、重心調整部の様々な組合せを楽しむこともできる。
【符号の説明】
【００３５】
１０    ゴルフパター
２０    ネジ
１００    パターヘッド
１０１    打撃フェース部
１０２    トゥ部
１０３    ヒール部
１０４    打撃フェース面
１０５    凸部
１０６    段付き孔
２００    シャフト
３００、４００、５００    重心調整部
３０１、３０２、４０１、４０２、５０１    錘部
３０３、４０３、５０５    正面部
３０４、４０３    平坦部
３０５、３０６、４０５、４０６、５０６、５０７    凹部
３０７、４０７、５０８    ネジ穴
【図１】
2011004849.tif 000003
【図２】
2011004849.tif 000004
【図３】
2011004849.tif 000005
【図４】
2011004849.tif 000006
【図５】
2011004849.tif 000007
【図６】
2011004849.tif 000008
【図７】
2011004849.tif 000009
【図８】
2011004849.tif 000010
【図９】
2011004849.tif 000011
【図１０】
2011004849.tif 000012
【図１１】
2011004849.tif 000013
【図１２】
2011004849.tif 000014
【図１３】
2011004849.tif 000015
【図１４】
2011004849.tif 000016
【図１５】
2011004849.tif 000017